(57)【要約】【課題】  人は歩くとき、踵から接地し足先部へと重心が移動する。しかし、足首部に神経障害のある人は、下垂足となり足先部が上らず路面（床面）に引っ掛かり転倒する場合がある為、転倒を未然に防ぐために下垂足を制御し安定した歩行を目的とする。【解決手段】  足首部１に巻き留め固定する環７を設けた第一帯部３と、足先部２に巻き留める第二帯部４と、両帯部の間に直交連結をする伸縮部６を設けた吊り帯部５から構成される足首サポーター。【選択図】図１５
2018069011.tif 000002
【特許請求の範囲】
【請求項１】
足首部１に巻き留め固定する第一帯部３と、足先部２に巻き留る第二帯部４、と、両帯部の間に直交連結し前記足先部２を吊り上げる伸縮部６を設けた吊り帯部５から構成される足首サポーター。
【請求項２】
前記吊り帯部５は、前記第一帯部３と前記第二帯部４を、両帯部の少なくとも一方で巻き込む把持部を備え、前記第一帯部３又は前記第二帯部４との接合において前記吊帯部５の長さ及び接合位置を調節することができることを特徴とする前記請求項１に記載の足首サポーター。
【請求項３】
前記第一帯部３の内面にクッション素材８を備える前記請求項１又は、請求項２のいずれかに記載の足首サポーター。
【発明の詳細な説明】
【技術分野】
【０００１】  本発明は、脳梗塞、脊柱間狭窄症など足首に神経障害のある人の歩行時の転倒を、未然に防ぐ足首サポーターに関する。
【背景技術】
【０００２】  従来の足首サポーターは、伸縮素材の面ファスナー雌機能を有する素材を基に形成されている本体に、幅広の伸縮素材のベルトを固着し、一方に面ファスナー雄を設けたベルトを足首から足甲部全体を締め付け固定する足首保護用のサポーターが主体である（例えば、下記特許文献１又は、２参照。）。
【先行技術文献】
【特許文献】
【０００３】
【特許文献１】  特許第４１８１４７９号公報
【特許文献２】  特開平１１−３１８９６３号公報
【発明の概要】
【発明が解決しようとする課題】
【０００４】  以上、述べた従来の足首サポーターは、足首部から足甲部全体を強く締め付けるため、足部全体が蒸れと、浮腫みが生じ、長時間の着用には、大きな問題があり、また締め付けが弱ければ効果が薄い。【０００５】  本発明は、このような従来の構成が有していた問題を解決しようとするものであり、足首部から足甲部全体を強く締め付けることも無く、足首部に神経障害のある人の歩行時の転倒を未然に防ぐことを目的とするものである。【０００６】  また、人は歩く時、踵から接地して足先部へと重心が移動する、しかし足首部に神経障害のある人は歩行時の膝の上下運動に対し足先部が上らず路面（床面）に引っ掛かり転倒する、という課題を有していた。【０００７】本発明は、従来の欠点を鑑みて、足先部の神経麻痺で、足先部が上らず絶えず、転倒に不安を感じながら日常生活を過ごす人の不安を解消する事とともに安価に製造できる足首サポーターを提供することを目的としている。
【課題を解決するための手段】
【０００８】  本発明は、上記目的を達成するために足首部に巻き留め固定する、第一帯部と、足先部に巻き留める第二帯部と、両帯部の間に直交連結をする一部伸縮部を設けた吊り帯部から構成される。【０００９】  前記第一帯部に環を設け装着時の省力化を図ることができる。【００１０】  前記第一帯部は、内面にクッション素材を備え、両帯部をＨ状に連結する、接合手段を備えるものであっても良い。【００１１】  前記吊り帯部は、両帯部の少なくとも一方を巻き込む把持部を備える構成とすることもできる。【００１２】  前記吊り帯部は、足首部と足先部とをＨ状に連結し膝の上下運動に伴い、伸縮部が緊張時に衝撃を吸収しつつ下垂足を、制御するものである。【００１３】  前記第二帯部の厚みは、靴を履く時の抵抗を最小限に抑えるため、薄く構成することが望ましい。【００１４】  本発明の、足首サポーターの足首に巻き留め、固定する第一帯部と足先部に巻き留める第二帯部に伸縮素材のみからなる吊り帯部をＨ状に連結する構成も可能ではあるが装着した時点から足首部と足先部に張力が発生する問題があり緩ければ吊り効果が薄く好ましくない。【００１５】  また、本発明の、足首サポーターの足首に巻き留め、固定する第一帯部と足先部に巻き留める第二帯部に伸縮性の無い吊り帯（ベルト）をＨ状に連結する構成も、可能ではあるが、歩行静止の状態では問題は無いが、歩行時の膝の上下運動に入ると足首部と足先部と連結している吊り帯（ベルト）が緊張時に強く抵抗力が発生し好ましく無い。
【発明の効果】
【００１６】  上述したように本発明は、前記第一帯部と、足先部に巻き留める第二帯部と、一部伸縮素材を固着した吊り帯部とをＨ状に連結し、歩行時の下垂足を制御し転倒を未然に防ぐことができる。【００１７】  本発明の、足首サポーターの第一帯部に、一部伸縮素材を設けたことにより歩行静止の状態では、足首部と足先部に余裕を持たせ歩行時に膝を上げる時点から、着地後の蹴り出し時に伸縮効果を発揮する。【００１８】  また、本発明の足首サポーターは、足首部に巻き留め固定する第一帯部と、足先部に巻き留める第二帯部とを連結する一部伸縮素材を設けた吊り帯部の効果は、歩行時に膝を上げると同時に足首部に巻き留める第一帯部に着止した、クッション素材が、足首部と足先部にかかる衝撃の緩衝役を果たすものである。【００１９】  また、本発明の足首サポーターは、足首全体を締め付けることも無く、靴を履く時の抵抗感も少なく、長時間の着用でも蒸れも、浮腫みも出ず初回に足に合わせれば次回からの装着は、足先部から挿入し足首部に留めるだけで簡単に装着もでき、装着の抵抗感も少なく、歩行時に効果を発揮する。
【図面の簡単な説明】
【００２０】
【図１】  第一帯部３の平面図である。
【図２】  第一帯部３と吊り帯部５の平面図である。
【図３】  第一帯部３と第二帯部４と吊り帯部５の平面図である。
【図４】  第一帯部３と第二帯部４と吊り帯部５の連結の平面図である。
【図５】  第一帯部３の底面図である。
【図６】  第一帯部３と吊り帯部５の底面図である。
【図７】  第一帯部３と第二帯部４と吊り帯部５の底面図である。
【図８】  第一帯部３と第二帯部４と吊り帯部５の連結の底面図である。
【図９】  第一帯部３の左側面図である。
【図１０】  第二帯部４の左側面図である。
【図１１】  吊り帯部５の背面図である。
【図１２】  第一帯部３と第二帯部４と吊り帯部５の連結の正面図である。
【図１３】  第一帯部３と第二帯部４と吊り帯部５の連結の背面図である。
【図１４】  実施形態を示す足首サポーターの正面図である。
【図１５】  実施形態を示す足首サポーターの右側面図である。
【発明を実施するための形態】
【００２１】  以下、本発明の、実施の形態を図１〜図６に基づいて説明する。
本発明による足首サポーターは、足首部１に巻き留め固定する第一帯部３と、足先部２に巻き留る第二帯部４と、両帯部の間に直交連結し前記足先部２を吊り上げる伸縮部６を設けた吊り帯部５から構成される。
【００２２】  この例は、足首部１に巻き留める第一帯部３に環７を設けることで装着の省力化を図り、また、足先部２に巻き留める前記第二帯部４の内側にクッション素材８を着止し、前記第二帯部４と連結する前記吊り帯部５の一部に伸縮素材６を着止し、前記第一帯部３と前記第二帯部４をＨ状に連結したものである。
尚、ここで前記足先部とは、指の付け根付近から足の甲付近の間までを指す。
【００２３】  図１は、足首部１に巻き留める第一帯部３に当核帯部と接合する接合部９を連結したその一方に環７が着止しされている形態である。
【００２４】  図２は、吊り帯部５に接合部９が連結された一方に伸縮部６（例えばゴム帯など）が固着され、その一方に足先部２に巻き留める第二帯部４が連結されている形態である。
【００２５】  図３は、前記図２の吊り帯部５に第一帯部３を重ね位置決めして、連結をする形態である。
【００２６】  図４は、第二帯部４と、第一帯部３との間に吊り帯部５を公して、Ｈ状に連結されている形態である。
【００２７】  図５は、第一帯部３の底面にクッション素材８が着止されている形態である。
【００２８】  図６は、第二帯部４の底面に当核帯部と接合する、接合部９が連結されている形態である。
【００２９】  以下、上記構成の働きを説明する。図１における第一帯部３の接合部９は、足首部１に固定するための面ファスナーであり、環７は装着時の省力化を図るべく面ファスナーを通し反転して接合するものである。
【００３０】  前記図２における吊り帯部５の接合部９は、前記第一帯部３との連結するための面ファスナーであり、その一方の伸縮部６は第二帯部４と連結し歩行時に第一帯部３と第二帯部４にかかる抵抗力を弾性的に吸収するものである。
【００３１】  前記図３における第一帯部３と接合部９の面ファスナーを連結した吊り帯部５とは、十字状となり足部の大きさに合わせ左右前後に交差位置の調節をし、前記吊帯部５の両帯部の少なくとも一方に備える把持部で前記第一帯部３を巻き込むと共に、その接合部９を折り重ねて接合するものである。
【００３２】  前記図４は、第一帯部３と第二帯部４を、吊り帯部５の接合部９の面ファスナーで固定しＨ状に連結したものであり、第二帯部４を足先部２に固定し第二帯部３を足首部１に固定するものである（図１４又は図１５参照）
【００３３】  前記図５における第一帯部３のクッション素材８の着止は、歩行時に足首部１にかかる抵抗力を和らげ、皮膚への食い込みを和らげるものである。
【００３４】  前記図６に示す第二帯部に連結する接合部９は、面ファスナーであり、足先部２に巻き留め固定するためのものである。
【００３５】  以上、前記吊り帯部５に連結する伸縮部６と第一帯部３に着止したクッション素材８は、歩行時に膝を上げた際、第一帯部３と第二帯部４との間に緊張が生まれ張力が発生することとなり、互いにその張力を緩やかに吸収しあい歩行時に効果を発揮するものである。
【００３６】  本発明の足首サポーターの装着手順
（１）  足先部に巻き留める第二帯部４を足先部２の周長（囲）にあわせ伸縮部６の固着部位を足先部２の中心に合わせ固定する。
（２）  足首部１に第一帯部３を巻き一方を環７に通し反転させて仮止めをする。
（３）  足先部２に巻き留めた第二帯部４と連結する吊り帯部５の一方を、足首部１と第一帯部３の間に通し長さを調整して、足首部１を前傾斜の状態で吊り帯部５を固定した後に第一帯部３を固定する。
（４）  初回に一度足に合わせれば次回からの装着は、第二帯部４を足先部２から挿入し足首部１を前傾斜の状態で第一帯部３を固定するだけで良い。
【符号の説明】
【００３７】１  足首部
２  足先部
３  第一帯部
４  第二帯部
５  吊り帯部
６  伸縮部
７  環
８  クッション素材
９  接合部
【図１】
2018069011.tif 000003
【図２】
2018069011.tif 000004
【図３】
2018069011.tif 000005
【図４】
2018069011.tif 000006
【図５】
2018069011.tif 000007
【図６】
2018069011.tif 000008
【図７】
2018069011.tif 000009
【図８】
2018069011.tif 000010
【図９】
2018069011.tif 000011
【図１０】
2018069011.tif 000012
【図１１】
2018069011.tif 000013
【図１２】
2018069011.tif 000014
【図１３】
2018069011.tif 000015
【図１４】
2018069011.tif 000016
【図１５】
2018069011.tif 000017
【手続補正書】
【提出日】平成29年7月19日(2017.7.19)
【手続補正１】
【補正対象書類名】明細書
【補正対象項目名】０００２
【補正方法】変更
【補正の内容】
【０００２】  従来の足首サポーターは、伸縮素材の面ファスナー雌機能を有する素材を基に形成されている本体に、幅広の伸縮素材のベルトを固着し、一方に面ファスナー雄を設けたベルトを足首から足甲部全体を締め付け固定する足首保護用のサポーターが主体である（例えば、下記特許文献１参照。）。
【手続補正２】
【補正対象書類名】明細書
【補正対象項目名】０００３
【補正方法】変更
【補正の内容】
【０００３】
【特許文献１】特許第４１８１４７９号公報
【手続補正３】
【補正対象書類名】明細書
【補正対象項目名】０００７
【補正方法】変更
【補正の内容】
【０００７】  本発明は、従来の欠点を鑑みて、足首部の神経麻痺で、足先部が上らず絶え転倒に不安を感じながら日常生活を過ごす人の不安を解消する事とともに安価に製造できる足首サポーターを提供することを目的としている。
【手続補正４】
【補正対象書類名】明細書
【補正対象項目名】００１７
【補正方法】変更
【補正の内容】
【００１７】  本発明の、足首サポーターの吊り帯部に、一部伸縮素材を設けたことにより歩行静止の状態では、足首部と足先部に余裕を持たせ歩行時に膝を上げる時点から、着地後の蹴り出し時に伸縮効果を発揮する。
【手続補正５】
【補正対象書類名】明細書
【補正対象項目名】００２２
【補正方法】変更
【補正の内容】
【００２２】  この例は、足首部１に巻き留める第一帯部３に環７を設けることで装着の省力化を図り、また、足首部１に巻き留める前記第一帯部３の内側にクッション素材８を着止し、前記第二帯部４と連結する前記吊り帯部５の一部に伸縮素材６を設け、前記第一帯部３と前記第二帯部４をＨ状に連結したものである。